(57)【特許請求の範囲】
【請求項１】
浴槽内の湯を吸湯管で汲み上げ、装置本体内に配備した紫外線殺菌装置、濾過タンク、ヒータ等の清浄化処理機器で殺菌、濾過、加熱等の所定の清浄化処理した後噴湯管を経て再び浴槽内に噴出する浴槽湯の清浄化装置において、
前記装置本体内に浸水を抵抗値の変化で検知するための２本の耐蝕性電極板を相互に仕切りリブにより隔離し、回路基板に直結し底部付近に配備した
ことを特徴とする浴槽湯の清浄化装置。
【請求項２】
電極板にかける電位の極性を一定時間毎に入れ替えること
を特徴とする請求項１記載の浴槽湯の清浄化装置。
【請求項３】
２本の電極板を中空に浮かせた状態で回路基板に取り付けたこと
を特徴とする請求項１又は２記載の浴槽湯の清浄化装置。
【発明の詳細な説明】
【０００１】
【発明の属する技術分野】
本発明は風呂装置に係り、特に浴槽内の湯を強制的に循環させつつ濾過、殺菌、加熱等の所定の清浄化処理をし、絶えず清浄かつ適温に保ち２４時間何時でも好みの時に入浴できるようにしたいわゆる２４時間風呂装置に関するものである。
【０００２】
【従来の技術】
最近、浴槽内の湯を絶えず清浄かつ適温に保ち、２４時間いつでも快適に入浴でき、しかも水の節約にもなる、浴槽湯の清浄化装置の利用が盛んになつてきた。
【０００３】
このような浴槽湯の清浄化装置の１例は図４に示す通りであり、１が浴槽、２が湯、３が浴槽１内の湯２を汲み上げるための吸湯管、４が吸湯管３で汲み上げられた湯を清浄化処理するための清浄化処理機器類をまとめて配備した装置本体、９が装置本体４で処理された湯を浴槽１内に再び噴出させるための噴湯管である。
【０００４】
装置本体４には、湯を強制循環するための循環ポンプ５、紫外線殺菌するための紫外線殺菌装置６、汚れを取り除くため、活性炭、活性石、多孔質セラミツクボール等の各種の粒状濾材や繊維状フイルタが単独或いは複合して装填された濾過タンク７、適温に保つために加熱するヒータ８等の清浄化処理機器が連結管で連結され直列に配備されている。
【０００５】
１０は大きな汚れを装置本体４に汲み上げる前に予め取り除くため吸湯管３の先端に取り付けたプレフイルタであり、１１は清浄化処理の終わった湯を流速の早いジエツト流として浴槽１内に噴出する吸気管１２がエジエクタ部に接続するジエツトノズルである。
【０００６】
ジエツトノズル１１のエジエクタ部に接続する吸気管１２の先端には管路を開閉するための電磁弁１３が設けられ、電磁弁１３を開くとジエツトノズル１１の吸気力で吸気管１２から空気が吸い込まれ、この空気がエジエクタ部で湯に混入されジエツトノズル１１から湯と共に空気が浴槽１内に噴出して泡風呂となる。
【０００７】
また濾過タンク７の濾材の汚れを落とすために濾過タンク７内に湯を逆流させていわゆる逆洗したり、ジエツト流を強くするために湯が抵抗の少ない管路を流れるようにするために、吸湯管３及び噴湯管９に配備した切換弁１４と１５とを連結するバスパス管１６や、吸湯管３に配備した切換弁１４に接続する排湯管１７等を配備する。
【０００８】
装置には、管路の水抜けを防ぐための逆止弁１８、循環ポンプ５の空運転を検知するための差圧センサ１９、湯温を検知する湯温センサ２０、紫外線殺菌装置６の保護管割れを検知する水滴センサ２１、ヒータ８の過熱を検知するサーモスタット２２等の清浄化処理機器類の異常を個々に検知する各種の安全装置が配備されている。
【０００９】
前記したような清浄化処理機器類を収納した装置本体４は、浴槽１の縁に載せたり、或いは壁に取り付けたりして浴室内の適所に配備されるが、倒れたり浸水したりする危険があるので、所定角度以上傾斜したのを検知する転倒センサや、内部が浸水したのを検知する浸水センサが配備されている。
【００１０】
浸水センサは、装置本体４の底部に配備され、浸水により電極間の抵抗値が低下するのを検知するようにしている。
【００１１】
【発明が解決しようとする課題】
しかしながら従来の浸水センサは、電極に丸端子などを使い、電極と回路基板とをリード線により接続しているため、故障や誤動作が多く信頼性に欠けるものであった。
【００１２】
すなわち、装置本体４は浴室内というかなり湿気が多く電極表面に結露し易く、また結露によって金属が腐食し易い環境に置かれるので、結露に伴って電極間の抵抗が下がり浸水と誤動作し、電極が腐食して導電性が低下したり、またリード線が腐食したり断線したりして、電極間の抵抗の変化を回路基板に正確に又は全く伝えられなくなってしまったりする。
【００１３】
本発明は、前記したような従来技術の課題を解決し、故障や誤動作を生じさせない信頼性の高い浸水センサを配備した浴槽湯の清浄化装置を提供することを目的とする。
【００１４】
【課題を解決するための手段】
すなわち、本願発明は、浴槽内の湯を吸湯管で汲み上げ、装置本体内に配備した紫外線殺菌装置、濾過タンク、ヒータ等の清浄化処理機器で殺菌、濾過、加熱等の所定の清浄化処理した後噴湯管を経て再び浴槽内に噴出する浴槽湯の清浄化装置において、前記装置本体内に浸水を抵抗値の変化で検知するための２本の耐蝕性電極板を相互に仕切りリブにより隔離し、回路基板に直結し底部付近に配備したことを特徴とする浴槽湯の清浄化装置とすることで課題を解決した。
【００１５】
また、電極板にかける電位の極性を一定時間毎に入れ替えることで課題を解決した。
また、２本の電極板を中空に浮かせた状態で回路基板に取り付けたことで課題を解決した。
【００１６】
【発明の実施の形態】
本発明の実施の形態について、実施例を示す図１から図３の図面に基づいて説明する。
【００１７】
図１に示すように、装置本体４は、前記したような各種の清浄化処理手段を配備するために全面が大きく開いており、この開口は前カバー２３により塞がれ、上面には濾過タンクを着脱するための開口が設けられ、この開口から挿入して配備した濾過タンクはタンクフタ２４で閉じられている。
【００１８】
前カバー２３の裏面には、装置本体４内に配備した各清浄化処理手段の作動を制御するための回路基板２５が回路カバー２６によって覆われて取り付けられている。
【００１９】
２７が浸水センサとしての２本の電極板であり、この電極板２７は、ステンレス等の耐食性のある金属板で形成し、回路基板２５の下端部に直接取り付け装置本体４の底部付近まで下方に向かって延びている。
【００２０】
装置本体４内が浸水し水が溜まり２本の電極板２７間の電気抵抗が変化すると回路基板２５に設けた浸水検知回路がこれを検知する。
【００２１】
前記したように、電極板２７をステンレス等の耐食性のある金属板で形成し、回路基板２５の下端部に直接取り付けて配備すると、電極板２７が耐食性があるので浴室内でも腐食し難く、また電極２７と回路基板２５とをリード線で接続してないないのでリード線の腐食を心配する必要もない。
【００２２】
２本の電極板２７は、かける電位の極性、すなわちプラスとマイナスとを一定時間毎に入れ替えることにより、汚れが付着したり腐食したりするのを防止し表面を絶えず奇麗に保ち、浸水の検知精度を高める。
【００２３】
また、２本の電極板２７は、図２に示すように、前カバー２３に所定の間隔で立設した複数本の仕切りリブ２８で互いに隔離して回路基板２５に取り付けた状態にする。
【００２４】
２本の電極板２７は、仕切りリブ２８で互いに隔離した状態にすると前カバー２３の表面が結露しても仕切りリブのリブ分、導通距離が長くなるので電気抵抗の変化が僅かとなり、結露に伴っての電気抵抗の変化によって浸水と誤動作しなくなる。また、装置本体内のリード線などが２本の電極板にまたがるようにして接触し、リード線が結露して導通し、誤動作を起こす事があるが、前記仕切りリブを設けることで解決することができる。
【００２５】
さらに、２本の電極２７は、図３に示すように、前カバー２３の所定位置に突設した複数個の取り付けリブ２９に固定し、回路基板２５を取り付けている前カバー２３と接触せず中空に浮いた状態にする。
【００２６】
２本の電極２７は、取り付けリブ２９に固定し回路基板２５を取り付けている前カバー２３と接触せず中空に浮いた状態にすると、さらに表面が結露しても導通して電気抵抗が変化し難くなり、結露に伴っての電気抵抗の変化によって浸水と誤動作を一層しなくなる。また、図の例のように、前カバーに電極を設ける場合には、前カバーが電極板の電位によって帯電し、表面に埃などが集塵されて汚れることがあるが、電極板を中空に浮いた状態にすることで解決される。
【００２７】
【発明の効果】
本発明は以上のような構成及び作用のものであり、極めて簡単な構成でコストはかからず、しかも浴室のような電極の腐食性が高く、しかも結露に伴い誤動作し易い環境にあっても、信頼性の高い状態で浸水を正確に検知し続けることのできる浴槽湯の清浄化装置を提供する。
【図面の簡単な説明】
【図１】              実施例斜視図、
【図２】              実施例部分斜視図、
【図３】              実施例部分縦断面図、
【図４】              浴槽湯の清浄化装置配管図。
【符号の説明】
１                浴槽
２                湯
３                吸湯管
４                装置本体
５                循環ポンプ
６                紫外線殺菌装置
７                濾過タンク
８                ヒータ
９                噴湯管
２３                前カバー
２５                回路基板
２７                電極板
２８                仕切りリブ
２９                取り付けリブ
【図１】
0004045035.tif 000002
【図２】
0004045035.tif 000003
【図３】
0004045035.tif 000004
【図４】
0004045035.tif 000005